(57)【要約】【課題】  発射ハンドルの着脱作業や発射ハンドル内部の接地作業の簡素化を図る。【解決手段】  本発明に係る弾球遊技機１の打球発射装置１０１は、取付部材３，１４に円柱中空状に形成され、内面に係合部１０２が形成されたハンドル軸挿通部７９と、ハンドル軸挿通部７９の係合部１０２に係合可能な係合部１０４が外面に形成された円筒状のハンドル軸３３と、ハンドル軸３３の前端部に設けられたグリップ部３２とから成る発射ハンドル１５と、ハンドル軸３３の後端部に取り付けられ、取付部材３，１４の後方に突出するフック３４と、取付部材３，１４の後面に沿って揺動可能に設けられ、フック３４に係合可能な止め具３６とを備えていることを特徴とする。【選択図】  図１５
2005237562.tif 000002
【特許請求の範囲】
【請求項１】
遊技盤の前面側に形成された遊技領域内に遊技球を発射させるための弾球遊技機の打球発射装置であって、
取付部材に円柱中空状に形成され、内面に係合部が形成されたハンドル軸挿通部と、
該ハンドル軸挿通部の前記係合部に係合可能な係合部が外面に形成された円筒状のハンドル軸と、該ハンドル軸の前端部に設けられたグリップ部とから成る発射ハンドルと、
前記ハンドル軸の後端部に取り付けられ、前記取付部材の後方に突出するフックと、
前記取付部材の後面に沿って揺動可能に設けられ、前記フックに係合可能な止め具と、
を備えており、前記ハンドル軸を前記ハンドル軸挿通部に挿入し、回転させると、前記ハンドル軸挿通部の係合部と前記ハンドル軸の係合部とが係合し、前記ハンドル軸挿通部に対する前記ハンドル軸の前後方向の動きが規制され、前記ハンドル軸が前記ハンドル軸挿通部に仮止めされるように構成されていることを特徴とする弾球遊技機の打球発射装置。
【請求項２】
前記取付部材の後面に沿って設けられた板金をさらに備えており、
前記フックは、導電材料製で、前記発射ハンドル内部のアース用端子と前記板金とにそれぞれ接触可能なように設けられている請求項１に記載の弾球遊技機の打球発射装置。
【請求項３】
前記止め具を前記フックに係合させることにより、前記フックと前記止め具と前記板金とが面接触可能なように設けられている請求項２に記載の弾球遊技機の打球発射装置。
【発明の詳細な説明】
【技術分野】
【０００１】
本発明は、パチンコ遊技機等の弾球遊技機において、遊技領域に遊技球を発射させるための打球発射装置に関する。
【背景技術】
【０００２】
従来、パチンコ遊技機に代表される弾球遊技機には、遊技盤の前面側の遊技領域に遊技球を発射させるための打球発射装置が設けられている。
【０００３】
この打球発射装置には、パチンコ遊技機の前面下部において前方に突出するように発射ハンドルが設けられており、該発射ハンドルは、前枠、若しくは球皿の当て板にビス止めされる円筒状のハンドル軸と、該ハンドル軸の前端部に設けられるグリップ部とから概略構成されている。そして、遊技者が発射ハンドルのグリップ部を回動させることにより遊技機内部の打球杆（ハンマー）が電気的に駆動され、球皿から供給された遊技球が遊技領域内に発射されるようになっている。
【０００４】
【特許文献１】特開２００２−２５３７５６号公報
【発明の開示】
【発明が解決しようとする課題】
【０００５】
しかしながら、上記した従来の弾球遊技機の打球発射装置では、発射ハンドルが前枠若しくは球皿の当て板に対してビス止めにより固定されるようになっているため、発射ハンドルを故障等で交換する場合には、その取り外し及び取付作業に時間及び手間が掛かるといった問題があった。
【０００６】
また、発射ハンドル内部の接地を取る場合には、前枠若しくは当て板の後側の板金までアース線を引き回し、そのアース線を板金にビス止めする必要があったため、その接地作業に時間及び手間が掛かるといった問題もあった。
【０００７】
本発明は、上記した課題を解決すべくなされたものであり、発射ハンドルの着脱作業や発射ハンドル内部の接地作業を簡素化することのできる弾球遊技機の打球発射装置を提供しようとするものである。
【課題を解決するための手段】
【０００８】
本発明は、遊技盤６の前面側に形成された遊技領域１１内に遊技球を発射させるための弾球遊技機１の打球発射装置１０１であって、取付部材３，１４に円柱中空状に形成され、内面に係合部１０２が形成されたハンドル軸挿通部７９と、ハンドル軸挿通部７９の係合部１０２に係合可能な係合部１０４が外面に形成された円筒状のハンドル軸３３と、ハンドル軸３３の前端部に設けられたグリップ部３２とから成る発射ハンドル１５と、ハンドル軸３３の後端部に取り付けられ、取付部材３，１４の後方に突出するフック３４と、取付部材３，１４の後面に沿って揺動可能に設けられ、フック３４に係合可能な止め具３６とを備えており、ハンドル軸３３をハンドル軸挿通部７９に挿入し、回転させると、ハンドル軸挿通部７９の係合部１０２とハンドル軸３３の係合部１０４とが係合し、ハンドル軸挿通部７９に対するハンドル軸３３の前後方向の動きが規制され、ハンドル軸３３がハンドル軸挿通部７９に仮止めされるように構成されていることを特徴とする。
【０００９】
そして、好ましくは、取付部材３，１４の後面に沿って設けられた板金３５をさらに備えており、フック３４は、導電材料製で、発射ハンドル１５内部のアース用端子７５と板金３５とにそれぞれ接触可能なように設けられている。
【００１０】
また、止め具３６をフック３４に係合させることにより、フック３４と止め具３６と板金３５とが面接触可能なように設けられていてもよい。
【発明の効果】
【００１１】
本発明によれば、打球発射装置の取り付け及び取り外し作業が簡素化され、作業効率及び生産効率の向上を図ることができる。
【００１２】
また、取付部材の後面に沿って板金を設けた場合には、遊技者から発射ハンドルを介して静電気ノイズが流入するのを防ぐことができ、打球発射装置の誤動作を防止することができる。
【００１３】
さらに、フックや止め具を介して発射ハンドル内部の接地を取るように構成した場合には、アース線を引き回す必要がなくなり、接地作業の簡素化を図ることができる。
【００１４】
さらにまた、フックと止め具と板金とが面接触可能なように構成した場合には、接地の信頼性を向上させることができる等、種々の優れた効果を得ることができる。
【発明を実施するための最良の形態】
【００１５】
以下、図面を参照しつつ、本発明の実施の形態について説明する。なお、以下の説明では、本発明をパチンコ遊技機に適用した場合について例示して説明する。
【００１６】
先ず、図１及び図２を参照しつつ、パチンコ遊技機の概略構成について説明する。ここで、図１はパチンコ遊技機を示す正面図、図２はその背面図である。
【００１７】
このパチンコ遊技機１は、方形枠状の外枠２と、遊技機の機体となる前枠３とを備えており、前枠３は、外枠２の正面左側上下に設けられたヒンジ金具４ａ，４ｂにより外枠２に対して開閉可能に取り付けられていると共に、外枠２の正面右側に設けられた施錠装置５により閉鎖状態に保持されるようになっている。そして、前枠３には、遊技盤６が収容されており、遊技盤６の前面側には、図柄表示装置７、中央飾り８、始動入賞口９、大入賞口１０等の各種遊技部品がそれぞれ配設され、遊技領域１１が形成されている。
【００１８】
また、前枠３の正面側には、ガラス扉１２及び球皿１３が開閉可能且つ着脱可能に取り付けられ、それらは施錠装置５及び球皿施錠装置（図示せず）により閉鎖状態に保持されるようになっている。そして、球皿１３の基体となる当て板１４の正面右側下部には発射ハンドル１５が設けられており、発射ハンドル１５を正面から見て時計回り方向に回転させることにより、球皿１３から供給された遊技球が遊技領域１１に発射されるようになっている。
【００１９】
一方、前枠３の背面側には裏セット盤１６が複数のレバー１７により着脱可能に設けられており、その裏セット盤１６には、予備賞球を貯留する球貯留タンク１８、遊技球を整列状態で待機させる待機通路１９、遊技盤６での入賞状態等に基づき賞球を払い出す球払出装置２０、球払出装置２０から払い出された賞球を球皿１３に排出するための球払出通路２１等の賞球装置が装備されていると共に、電源基板２２や遊技制御基板２３等の各種回路基板及び電子部品等が取付けられている。
【００２０】
次に、図３〜図１３を参照しつつ、本発明の第１の実施の形態に係るパチンコ遊技機の打球発射装置について説明する。ここで、図３はそのパチンコ遊技機の打球発射装置を示す分解斜視図、図４はその打球発射装置を背面側から見た分解斜視図、図５はその打球発射装置の発射ハンドルを示す分解斜視図、図６はキャップ体を外した状態の発射ハンドルを示す正面図、図７はその発射ハンドルのハンドル軸及びフックを示す背面図、図８はその発射ハンドルにフックを取り付ける時の状態を背面側からみた斜視図、図９は板金及び止め具を装着する前の打球発射装置を示す背面図、図１０は止め具装着前の打球発射装置を背面側から見た斜視図、図１１は止め具装着後の打球発射装置を背面側から見た斜視図、図１２はその打球発射装置を示す側断面図、図１３はその平断面図である。
【００２１】
この打球発射装置３１は、発射ハンドル１５を構成するグリップ部３２及びハンドル軸３３と、ハンドル軸３３の後端部に取り付けられるフック３４と、当て板１４の後面に沿って設けられる板金３５と、フック３４に係合可能な止め具３６とを有して構成されており、さらに、いずれも図示しないが、打球する駆動源である打球駆動部、該打球駆動部により発射された遊技球を遊技領域１１内に導く発射レール、該発射レール下端の所定位置に遊技球を順次供給する球送り装置を備えている。
【００２２】
発射ハンドル１５のグリップ部３２は、ハンドル軸３３の前端部に固定される椀状のグリップベース３８と、グリップベース３８の前端に回動可能に支持された扁平な略円筒状の回動レバー３９と、回動レバー３９の前端を閉塞するように固定された椀状のキャップ体４０とを備えている。
【００２３】
グリップベース３８の前端外周部には、嵌合部４１が前方に延出して形成されており、その嵌合部４１には切欠部４２が形成されている。そして、グリップベース３８の内部には円筒状の３本の支軸４３ａ，４３ｂ，４３ｃが前方に突設され、このうちの隣接する支軸４３ｂ，４３ｃの間にはバネ支柱４４が前方に突設されている。
【００２４】
また、グリップベース３８の内部には、回動レバー３９の回動角度を検出する可変抵抗器（ポテンショメータ）が設けられ、この可変抵抗器から前方に突出する検出軸に２本の連結ピン４６ａ，４６ｂを有する連結レバーが固定されている。さらに、グリップベース３８の内部には、前記打球駆動部の作動をオンオフするための作動スイッチ４７が取り付けられていると共にこの作動スイッチ４７の近傍に発射停止ボタン４８が揺動可能に設けられており、この発射停止ボタン４８のボタン操作部４９は切欠部４２からグリップベース３８の外方に突出するようになっている。さらにまた、グリップベース３８の内部には、タッチ検出装置５０の検出回路基板５１が取り付けられており、これにより遊技者が回動レバー３９に接触しているか否かを検出できるようになっている。
【００２５】
回動レバー３９の後端外周部には、グリップベース３８の嵌合部４１に嵌合可能な円筒状の周壁部５２が形成されており、一方、回動レバー３９の前端外周部には、嵌合部５３が前方に延出して形成されている。また、回動レバー３９の外面には、略三角形状の第１〜第３指掛け部５４ａ，５４ｂ，５４ｃが外方に突出して形成されており、第１指掛け部５４ａは親指により掛止され、第２指掛け部５４ｂは人差し指と中指との間に挟持され、第３指掛け部５４ｃは薬指と小指との間に挟持されるようになっている。
【００２６】
回動レバー３９の内部には、前後を仕切るプレート部５５が形成され、プレート部５５には外周部に沿って円弧状に上下の回動規制孔５６ｂ，５６ａが穿設されており、下側の回動規制孔５６ａに支軸４３ａが係合し、上側の回動規制孔５６ｂに２本の支軸４３ｂ，４３ｃが係合するようになっている。すなわち、回動レバー３９の回動角度は、図６に示すように、支軸４３ａが下側の回動規制孔５６ａの左端部と係合すると共に支軸４３ｂが上側の回動規制孔５６ｂの右端部と係合する基準角度位置から、支軸４３ａが下側の回動規制孔５６ａの右端部と係合すると共に支軸４３ｃが上側の回動規制孔５６ｂの左端部と係合する最大角度位置までの範囲に規制されている。
【００２７】
また、プレート部５５には、中央部に円筒状のバネ支軸５７が前方に延出して形成されていると共に、バネ支軸５７に近接してバネフック５８が形成されている。さらに、プレート部５５には、バネ支軸５７から放射状に長孔形状の連結ピン係合孔５９ａ，５９ｂが回動規制孔５６ａ，５６ｂより内側に穿設されており、連結ピン係合孔５９ａ，５９ｂにそれぞれ連結ピン４６ａ，４６ｂが係脱可能となっている。そして、バネ支軸５７には、捻りバネ６０のコイル部６１が係合し、さらに、捻りバネ６０の一端はバネフック５８に掛止し、他端は上側の回動規制孔５６ｂを挿通したバネ支柱４４の前端部にネジ止めされるようになっている。この結果、回動レバー３９は、捻りバネ６０により、常時、前記基準角度位置の方向に付勢され、前記打球駆動部の作動がオフとなるように保持されている。
【００２８】
キャップ体４０の後端外周部には、回動レバー３９の嵌合部５３に嵌合可能な円筒状の周壁部６２が形成されており、キャップ体４０の内部には、支軸４３ａ，４３ｂ，４３ｃの前端部と嵌合可能なボス６３ｂ，６３ｃ（支軸４３ａに嵌合するボスは図示せず）が突設されている。
【００２９】
タッチ検出装置５０の検出回路基板５１の接点６４には、２本のリード線６５，６６がネジで接続されている。リード線６５はバネ支軸５７の中空部を通り、バネ支軸５７の前端部に形成された切欠部６７からプレート５５上の接続端子６８にネジで接続されており、これにより、回動レバー３９と検出回路基板５１とが電気的に接続されている。したがって、遊技者が回動レバー３９に接触すると、タッチ検出装置５０を介して前記打球駆動部に検出信号が送出され、遊技球が発射されるようになっている。一方、リード線６６は、ハンドル軸３３内を通って後方に配線され、アース線として使用される。
【００３０】
発射ハンドル１５のハンドル軸３３は、円筒形状を成しており、球皿１３の当て板１４に貫設されるようになっている。ハンドル軸３３の前端部には、グリップ部３２の係合部と係合可能なハンドル軸係合部６９（図１２参照）が形成されており、このハンドル軸係合部６９を介してハンドル軸３３の前端部にグリップ部３２が固定されるようになっている。
【００３１】
一方、ハンドル軸３３の後端部には、上部にフック取付部７０が形成されており、フック取付部７０には後方からフック３４が挿入可能となっている。また、フック取付部７０には、水平なスリット状に形成されたハンドル軸取付片挿入孔７１と、ハンドル軸取付部挿入孔７１の底面の一端部を切欠して形成された切欠溝７２と、ハンドル軸取付片挿入孔７１の下方に突出して形成されたネジ取付部７３と、ネジ取付部７３の上面に凹状に形成されたアース用端子取付部７４とが設けられており、アース用端子取付部７４にリード線６６の先端に接続された丸型アース用端子７５が嵌設可能となっている。そして、フック取付部７０の上面７６は平面状に形成され、その上面７６にはネジ取付部７３に対応してネジ孔７７が穿設されている。また、ハンドル軸３３の後端部の下部には、内側に湾曲したガイド凹部７８が軸方向に沿って左右一対で形成されており、ガイド凹部７８はハンドル軸３３の後端まで形成されている。
【００３２】
当て板１４には、円柱中空状に形成されたハンドル軸挿通部７９が形成されており、ハンドル挿通部７９の内面にはガイド凹部７８に係合可能なガイド凸部８０が軸方向に渡って形成されている。また、当て板１４の後面側には、ハンドル軸挿通部７９の外周部に沿って複数（図示では３箇所）の板金取付用ボス孔８１と、複数（図示では２箇所）の板金位置決めピン８２とが形成されている。
【００３３】
フック３４は、金属又は導電樹脂等の導電材料製であり、ハンドル軸取付片挿入孔７１に挿入可能に形成された水平な平板状のハンドル軸取付片８３と、ハンドル軸取付片８３の側端部から下方に屈曲して形成され、切欠溝７２に挿入可能な切欠溝挿入片８４と、切欠溝挿入片８４から後方に延出し、上部に係合溝８５が形成された止め具係合部８６と、ハンドル軸取付片８３の後端部から下方に屈曲して形成された止め具当接部８７とから構成されている。
【００３４】
板金３５は、矩形平板状を成しており、中央に形成された矩形状の開口部８８の上部には開口部８８に連続してフック挿通孔８９が形成されている。そして、板金３５には、当て板１４の板金取付用ボス孔８１及び板金位置決めピン８２に対応する位置にそれぞれ板金取付孔９０及び板金位置決め孔９１が穿設されており、フック挿通孔８９の背面視右側の板金取付孔９０は止め具３６の取付用としても使用されるようになっている。また、板金３５には、フック挿通孔８９の背面視左側に止め具係合孔９２が穿設されており、止め具係合孔９２及びフック挿通孔８９の周囲には止め具当接面９３が形成されている。
【００３５】
止め具３６は、金属又は導電樹脂等の導電材料製であり、板金取付孔９０に対応して基端部に穿設された取付孔９４に挿入されたネジ（図示せず）を支点として、板金３５の後面に沿って揺動可能となっている。そして、止め具３６には、先端側において後方に向かって水平に延出する操作部９５と、フック３４の係合溝８５に係合可能なように溝状に形成されたフック係合部９６と、板金３５に沿って鉛直方向に形成された当接部９７とが設けられている。当接部９７の前面には、フック３４の止め具当接部８７に当接可能なフック当接部９８と、板金３５の止め具当接面９３に当接可能な板金当接部９９とが形成されており、板金当接部９９には止め具係合孔９２に係合可能な半球状の係合突起１００が突設されている。
【００３６】
次に、本実施の形態に係る打球発射装置３１における発射ハンドル１５、フック３４、板金３５、止め具３６の当て板１４に対する取り付け及び取り外し手順について説明する。
【００３７】
発射ハンドル１５等を当て板１４に取り付ける場合、先ず、グリップベース３８の嵌合部４１に回動レバー３９の周壁部５２を嵌合すると共に回動レバー３９の嵌合部５３にキャップ体４０の周壁部６２を嵌合し、発射ハンドル１５のグリップ部３２を組み立てる。さらに、そのグリップ部３２の係合部をハンドル軸係合部６９と係合させてグリップ部３２をハンドル軸３３の前端部に固定し、発射ハンドル１５を組み立てる。
【００３８】
このように発射ハンドル１５を組み立てた後、そのフック取付部７０のハンドル軸取付片挿入孔７１に後方からハンドル軸取付片８３を挿入すると共に、切欠溝７２に切欠溝挿入片８４を挿入し、フック３４をフック取付部７０に装着させる。さらに、ハンドル軸取付片挿入孔７１の前方からアース用端子取付部７４にリード線６６のアース用端子７５を挿入し、ネジ孔７７を通してネジ取付部７３にネジ４５を螺入する。そうすると、フック３４とアース用端子７５はフック取付部７０に共締めされ、フック３４は止め具係合部８６をハンドル軸３３の後端から後方に突出させた状態でフック取付部７０に固定され、アース用端子７５はフック３４のハンドル軸取付片８３に面接触した状態でアース用端子取付部７４に固定される。
【００３９】
そして、このようにフック取付部７０にフック３４が固定されたハンドル軸３３の後端部を当て板１４のハンドル軸挿通部７９に挿入し、ガイド凹部７８にガイド凸部８０を係合させ、発射ハンドル１５の回動を防止させ、発射ハンドル１５を当て板１４に仮止めさせる。そして、この状態で、当て板１４の板金位置決めピン８２を板金３５の板金位置決め孔９１に挿入すると、フック３４の止め具係合部８６がフック挿通孔８９から後方に突出し、板金取付孔９０と板金取付用ボス孔８１とが合致する。そこで、止め具３６の取付孔９４を板金３５のフック挿通孔８９の背面視右側の板金取付孔９０に合致させ、板金取付孔９０及び取付孔９４を介して板金取付用ボス孔８１にネジを螺入させ、板金３５を当て板１４の後面側に取り付けると共に、止め具３６を板金３５の後面側に取り付ける。
【００４０】
この時、止め具係合部８６が板金３５の後面から後方に突出し、止め具当接部８７の後面が板金３５の後面と同一鉛直面を形成しているため、取付孔９４に挿入されたネジを支点として、止め具３６を下方に揺動させると、フック３４の係合溝８５に止め具３６のフック係合部９６が係合し、当て板１４に対する発射ハンドル１５の前後方向の移動が規制されると共に、発射ハンドル１５の回動が上記した仮止め状態よりさらに強固に規制される。また、止め具３６のフック当接部９８がフック３４の止め具当接部８７に当接すると共に止め具３６の板金当接部９９が板金３５の止め具当接面９３に当接するため、止め具３６とフック３４、止め具３６と板金３５との間はそれぞれ面接触された状態となる。したがって、発射ハンドル１５内部の接地はアース線を引き回すことなく、確実に取ることができ、接地の信頼性を向上させることができる。さらに、この時、止め具係合孔９２が係合突起１００に係合することにより、止め具３６の先端側と板金３５との係合力をさらに高めることができるため、フック当接部９８と止め具当接部８７、及び板金当接部９９と止め具当接面９３とがより確実に当接するようになり、上記した効果を一段と高めることができるようになる。また、上記実施の形態によれば、工具を使用することなく、フック３４に対して止め具３６を係脱させることにより、発射ハンドル１５を当て板１４に着脱させることができるので、打球発射装置の取り付け及び取り外し作業が簡素化され、作業効率及び生産効率の向上を図ることができる。
【００４１】
一方、発射ハンドル１５を当て板１４から取り外す場合には、上記した手順と反対の手順により行う。
【００４２】
次に、図１４〜図２０を参照しつつ、本発明の第２の実施の形態に係る打球発射装置１０１について説明する。なお、本実施の形態に係る打球発射装置１０１は、当て板１４のハンドル軸挿通部７９に対する発射ハンドル１５のハンドル軸３３の仮止め手段に係る構成以外は、上記した第１の実施の形態に係る打球発射装置３１と同様の構成を有しているので、それらの同様の構成については、説明の簡略化のため、図１４〜図２０中、図３〜図１３と同一の符号を付し、詳細な説明は省略する。
【００４３】
ここで、図１４は、本発明の第２の実施の形態に係るパチンコ遊技機の打球発射装置を示す分解斜視図、図１５はその打球発射装置を背面側から見た分解斜視図、図１６はその打球発射装置におけるハンドル軸を背面側から見た斜視図、図１７はその打球発射装置における発射ハンドルのハンドル軸及びフックを示す背面図、図１８はその発射ハンドルにフックを取り付ける時の状態を背面側から見た斜視図、図１９はその発射ハンドルを当て板に取り付ける時の状態を示す背面図、図２０はその断面図である。
【００４４】
本実施の形態に係る打球発射装置１０１において、ハンドル軸３３の後端下部には、左右それぞれに、内側に湾曲した係合凹部１０２が形成されている。左右の係合凹部１０２は、いずれもガイド凹部７８の背面視右側に隣接して軸方向に沿って形成されており、その後端１０３はガイド凹部７８の後端（すなわち、ハンドル軸３３の後端）より前方手前で終端となっている。
【００４５】
一方、当て板１４のハンドル軸挿通部７９の内面には、ガイド凹部７８に係合可能且つ係合凹部１０２に係合可能な係合凸部１０４が軸方向に形成されている。すなわち、係合凸部１０４は、係合凹部１０２にも係合可能なように、ハンドル軸挿通部７９の後端側には形成されないようになっている。
【００４６】
次に、本実施の形態に係る打球発射装置１０１の取り付け及び取り外し手順について説明する。なお、本実施の形態に係る打球発射１０１の取り付け手順は、当て板１４のハンドル軸挿通部７９に対する発射ハンドル１５の仮止め手順以外は、上記した第１の実施の形態の場合と同様であるので、説明の簡略化のため、それらの手順についての詳細な説明は省略する。
【００４７】
発射ハンドル１５を当て板１４に取り付ける場合、図１９によく示されているように、フック取付部７０にフック３４が固定されたハンドル軸３３の後端部を、背面視で反時計回り方法に僅かに、例えば、１５度回転させた姿勢で、当て板１４のハンドル軸挿通部７９に十分に挿入し、係合凸部１０４をガイド凹部７８に係合させる。そして、今度は反対に、ハンドル軸３３を背面視で時計回り方向に１５度回転させると、図２０に示されているように、係合凸部１０４は係合凹部１０２に係合する。これにより、ハンドル軸３３は、回動が規制されると共に前後方向の動きが規制され、当て板１４に所要姿勢で仮止めされた状態となる。そして、この状態で、当て板１４の板金位置決めピン８２を板金３５の板金位置決め孔９１に挿入すると、フック３４の止め具係合部８６がフック挿通孔８９から後方に突出し、板金取付孔９０と板金取付用ボス孔８１とが合致する。そこで、止め具３６の取付孔９４を板金３５のフック挿通孔８９の背面視右側の板金取付孔９０に合致させ、板金取付孔９０及び取付孔９４を介して板金取付用ボス孔８１にネジを螺入させ、板金３５を当て板１４の後面側に取り付けると共に、止め具３６を板金３５の後面側に取り付ける。
【００４８】
この時、止め具係合部８６が板金３５の後面から後方に突出し、止め具当接部８７の後面が板金３５の後面と同一鉛直面を形成しているため、取付孔９４に挿入されたネジを支点として、止め具３６を下方に揺動させると、フック３４の係合溝８５に止め具３６のフック係合部９６が係合し、当て板１４に対する発射ハンドル１５の前後方向の移動が規制されると共に、発射ハンドル１５の回動が上記した仮止め状態よりさらに強固に規制される。また、止め具３６のフック当接部９８がフック３４の止め具当接部８７に当接すると共に止め具３６の板金当接部９９が板金３５の止め具当接面９３に当接するため、止め具３６とフック３４、止め具３６と板金３５との間はそれぞれ面接触された状態となる。したがって、発射ハンドル１５内部の接地はアース線を引き回すことなく、確実に取ることができ、接地の信頼性を向上させることができる。さらに、この時、止め具係合孔９２が係合突起１００に係合することにより、止め具３６の先端側と板金３５との係合力をさらに高めることができるため、フック当接部９８と止め具当接部８７、及び板金当接部９９と止め具当接面９３とがより確実に当接するようになり、上記した効果を一段と高めることができるようになる。
【００４９】
一方、発射ハンドル１５を当て板１４から取り外す場合には、上記した手順と反対の手順により行う。
【００５０】
上記したように、本発明の第２の実施の形態によれば、ハンドル軸挿通部７９に対して発射ハンドル１５のハンドル軸３３を押し込んで僅かに回転させることにより、発射ハンドル１５が前後方向の動きを規制された状態で当て板１４に仮止めされるようになっている。したがって、当て板１４に対する発射ハンドル１５の前後方向の固定強度を向上させることができる。さらに、その後の打球発射装置１０１の取り付け作業中に、発射ハンドル１５が当て板１４から容易に脱落するおそれがなくなり、その仮止め状態が確実に保持されるようになるため、斯かる取り付け作業の簡素化を一段と図ることができるようになる。また、上記実施の形態によれば、ビスや工具を使用することなく、フック３４に対して止め具３６を係脱させることにより、発射ハンドル１５を当て板１４に着脱させることができるので、打球発射装置の取り付け及び取り外し作業が簡素化され、作業効率及び生産効率の向上を図ることができる。
【００５１】
なお、上記した第１及び第２の実施の形態において、発射ハンドル１５は、球皿１３の当て板１４に固定されるようになっているが、前枠３等、他の取付部材に固定されるように構成されていてもよい。
【００５２】
また、打球発射装置３１，１０１の取り付け時に、発射ハンドル１５を当て板１４に仮止めした後に板金３５及び止め具３６を取り付けているが、発射ハンドル１５を当て板１４に仮止めする前に板金３５及び止め具３６を当て板１４に取り付けておいてもよい。
【００５３】
また、板金３５は、必ずしも設置しなくてもよく、その場合、止め具３６は当て板１４の後面に直接取り付けられ、フック３４と係合可能なように構成される。
【００５４】
さらに、上記した実施の形態では、本発明をパチンコ遊技機に適用した場合について例示して説明したが、本発明は、アレンジボール遊技機や雀球遊技機等、他の弾球遊技機にも適用可能であることは言う迄もない。
【図面の簡単な説明】
【００５５】
【図１】本発明の実施の形態におけるパチンコ遊技機を示す正面図である。
【図２】本発明の実施の形態におけるパチンコ遊技機を示す背面図である。
【図３】本発明の第１の実施の形態に係るパチンコ遊技機の打球発射装置を示す分解斜視図である。
【図４】本発明の第１の実施の形態に係るパチンコ遊技機の打球発射装置を背面側から見た分解斜視図である。
【図５】本発明の第１の実施の形態に係るパチンコ遊技機の打球発射装置の発射ハンドルを示す分解斜視図である。
【図６】本発明の第１の実施の形態に係るパチンコ遊技機の打球発射装置における発射ハンドルを示す正面図である。
【図７】本発明の第１の実施の形態に係るパチンコ遊技機の打球発射装置における発射ハンドルのハンドル軸及びフックを示す背面図である。
【図８】本発明の第１の実施の形態に係るパチンコ遊技機の打球発射装置におけるハンドル軸及びフックを背面側からみた斜視図である。
【図９】本発明の第１の実施の形態に係るパチンコ遊技機の打球発射装置を示す背面図である。
【図１０】本発明の第１の実施の形態に係るパチンコ遊技機の止め具装着前の打球発射装置を背面側から見た斜視図である。
【図１１】本発明の第１の実施の形態に係るパチンコ遊技機の止め具装着後の打球発射装置を背面側から見た斜視図である。
【図１２】本発明の第１の実施の形態に係るパチンコ遊技機の打球発射装置を示す側断面図である。
【図１３】本発明の第１の実施の形態に係るパチンコ遊技機の打球発射装置を示す平断面図である。
【図１４】本発明の第２の実施の形態に係るパチンコ遊技機の打球発射装置を示す分解斜視図である。
【図１５】本発明の第２の実施の形態に係るパチンコ遊技機の打球発射装置を背面側から見た分解斜視図である。
【図１６】本発明の第２の実施の形態に係るパチンコ遊技機の打球発射装置におけるハンドル軸を背面側から見た斜視図である。
【図１７】本発明の第２の実施の形態に係るパチンコ遊技機の打球発射装置における発射ハンドルのハンドル軸及びフックを示す背面図である。
【図１８】本発明の第２の実施の形態に係るパチンコ遊技機の打球発射装置における発射ハンドル及びフックを示す背面側から見た斜視図である。
【図１９】本発明の第２の実施の形態に係るパチンコ遊技機の打球発射装置を示す背面図である。
【図２０】本発明の第２の実施の形態に係るパチンコ遊技機の打球発射装置を示す断面図である。
【符号の説明】
【００５６】
１          パチンコ遊技機
３          前枠
６          遊技盤
１１        遊技領域
１３        球皿
１４        当て板
１５        発射ハンドル
３１        打球発射装置
３２        グリップ部
３３        ハンドル軸
３４        フック
３５        板金
３６        止め具
７５        アース用端子
７８        ガイド凹部
７９        ハンドル軸挿通部
８０        ガイド凸部
１０１      打球発射装置
１０２      係合凹部
１０４      係合凸部
【図１】
2005237562.tif 000003
【図２】
2005237562.tif 000004
【図３】
2005237562.tif 000005
【図４】
2005237562.tif 000006
【図５】
2005237562.tif 000007
【図６】
2005237562.tif 000008
【図７】
2005237562.tif 000009
【図８】
2005237562.tif 000010
【図９】
2005237562.tif 000011
【図１０】
2005237562.tif 000012
【図１１】
2005237562.tif 000013
【図１２】
2005237562.tif 000014
【図１３】
2005237562.tif 000015
【図１４】
2005237562.tif 000016
【図１５】
2005237562.tif 000017
【図１６】
2005237562.tif 000018
【図１７】
2005237562.tif 000019
【図１８】
2005237562.tif 000020
【図１９】
2005237562.tif 000021
【図２０】
2005237562.tif 000022